(57)【要約】      （修正有）【課題】簡易な手法で画面サイズを比較することができるテレビ受像機を提供する。【解決手段】表示パネル２１およびＵＳＢメモリ２を備えたテレビ受像機１であって、ＵＳＢメモリより読み出したデモ画像データに基づいて、表示パネルに、画面サイズが小さい他の表示パネルの表示領域の枠線およびサイズ情報と、表示パネルのサイズ情報とを表示する。【選択図】図１
0003227865.tif 000002
【実用新案登録請求の範囲】
【請求項１】
表示パネルおよび記憶部を備えたテレビ受像機であって、
前記記憶部より読み出した画像データに基づいて、前記表示パネルに、画面サイズが当該表示パネルより小さい他の表示パネルの表示領域の輪郭位置を表示するとともに、
前記他の表示パネルの画面サイズを示す文字情報と、当該表示パネルの画面サイズを示す文字情報とを表示するテレビ受像機。
【請求項２】
表示パネルおよび記憶部を備えたテレビ受像機であって、
前記記憶部より読み出した画像データに基づいて、前記表示パネルに、画面サイズが当該表示パネルより小さく、かつ画面サイズが互いに異なる２以上の他の表示パネルについて、それぞれの表示領域の輪郭位置および画面サイズを示す文字情報を同時に表示するテレビ受像機。
【請求項３】
前記表示パネルに、前記画面サイズが互いに異なる２以上の他の表示パネルの前記表示領域の輪郭位置および前記画面サイズを示す文字情報を、前記画面サイズ毎に切り替えて表示する請求項２に記載のテレビ受像機。
【請求項４】
前記表示パネルの表示領域に設定された基準位置に、前記他の表示パネルの表示領域に設定された基準位置を一致させた状態で、前記表示パネルに、前記他の表示パネルの表示領域の輪郭位置を表示する請求項１から３の何れか１項に記載のテレビ受像機。
【考案の詳細な説明】
【技術分野】
【０００１】
本考案は、テレビ受像機に関し、より詳細には、当該テレビ受像機の表示パネルより表示領域が小さい他の表示パネルの表示領域を表示するテレビ受像機に関する。
【背景技術】
【０００２】
近年、４Ｋ（画素数３，８４０×２，１６０）、８Ｋ（画素数７，６８０×４，３２０）に対応したテレビ受像機が開発され、画質が大幅に向上したことから、画面サイズ（表示領域の大きさ）の大きい大型のテレビ受像機が店頭で多数販売・展示されている。例えば、５５Ｖ型テレビ受像機は、画面の表示領域が約１２２ｃｍ×６８ｃｍ、８５Ｖ型テレビ受像機だと約１８８ｃｍ×１０６ｃｍあり、従前のテレビ受像機と比較して、大型化している。
【０００３】
このような状況において、店頭にてテレビ受像機を展示する際、テレビ受像機が大きく展示できるスペースに制限があるため、画面サイズの異なるテレビ受像機が離れた位置に展示されている場合がある。この場合、顧客が画面サイズを比較しようとしても、位置が離れているため充分に比較・検討することができない。また、展示スペースが少ない店舗では、充分な数の大型のテレビ受像機を展示することができないという問題が生じている。
【０００４】
下記の特許文献１には、表示部の表示領域の全体に映像を表示する第１の表示モードと 、表示部の表示領域の一部に映像を縮小して表示する第２の表示モードとを切り替え可能に構成された液晶テレビが開示されている。
【先行技術文献】
【特許文献】
【０００５】
【特許文献１】特開２０１０−２８６７７３号公報（２０１０年１２月２４日公開）
【考案の概要】
【考案が解決しようとする課題】
【０００６】
しかしながら、特許文献１の技術は、画質の調整を容易に行うために、画質の調整がされる表示装置と、画質の調整が既にされた表示装置の画面サイズが異なる場合にも、両表示装置に表示される映像の大きさの違いを小さくして、映像を比較しやすくするための技術である。このような技術では、大型のテレビ受像機の画面サイズを比較することはできない。
【０００７】
本考案の一態様は、簡易な手法でテレビ受像機の画面サイズを比較することができるテレビ受像機を実現することを目的とする。
【課題を解決するための手段】
【０００８】
上記の課題を解決するために、本考案の一態様に係るテレビ受像機は、表示パネルおよび記憶部を備えたテレビ受像機であって、前記記憶部より読み出した画像データに基づいて、前記表示パネルに、画面サイズが当該表示パネルより小さい他の表示パネルの表示領域の輪郭位置を表示するとともに、前記他の表示パネルの画面サイズを示す文字情報と、当該表示パネルの画面サイズを示す文字情報とを表示する。
【０００９】
上記構成によれば、画面サイズが当該表示パネルより小さい他の表示パネルの表示領域の輪郭位置を、同一の画面で同時に見ることができるため、画像データを表示しているテレビ受像機の画面サイズと、より小さい他の表示パネルの画面サイズとを容易に比較することができる。また画面サイズを示す文字情報が表示されるため、表示されている輪郭位置が、どの画面サイズのものか知ることができる。
【００１０】
本考案の一態様に係るテレビ受像機は、表示パネルおよび記憶部を備えたテレビ受像機であって、前記記憶部より読み出した画像データに基づいて、前記表示パネルに、画面サイズが当該表示パネルより小さく、かつ画面サイズが互いに異なる２以上の他の表示パネルについて、それぞれの表示領域の輪郭位置および画面サイズを示す文字情報を同時に表示してもよい。
【００１１】
上記構成によれば、複数の画面サイズを同一の画面で同時に見ることができるため、画像データを表示しているテレビ受像機の画面サイズを含む、複数の画面サイズを同時に比較することができる。
【００１２】
本考案の一態様に係るテレビ受像機は、前記表示パネルに、前記画面サイズが互いに異なる２以上の他の表示パネルの前記表示領域の輪郭位置および前記画面サイズを示す文字情報を、前記画面サイズ毎に切り替えて表示してもよい。
【００１３】
上記構成によれば、複数の画面サイズが切り替えて表示されるので、連続的に各画面サイズを比較することができる。
【００１４】
本考案の一態様に係るテレビ受像機は、前記表示パネルの表示領域に設定された基準位置に、前記他の表示パネルの表示領域に設定された基準位置を一致させた状態で、前記表示パネルに、前記他の表示パネルの表示領域の輪郭位置を表示してもよい。
【００１５】
上記構成によれば、基準位置が一致しており、各画面サイズの輪郭位置が整列して表示され、画面上にばらばらに表示されることがないため、画面サイズの比較を容易にすることができる。
【考案の効果】
【００１６】
本考案の一態様によれば、簡易な手法でテレビ受像機の画面サイズを比較することができるという効果を奏する。
【図面の簡単な説明】
【００１７】
【図１】本考案の実施形態１に係るテレビ受像機の外観の一例を示す図である。
【図２】上記テレビ受像機の要部構成の一例を示すブロック図である。
【図３】上記テレビ受像機の表示の一例を示す図である。
【図４】本考案の実施形態２に係るテレビ受像機の表示の一例を示す図である。
【考案を実施するための形態】
【００１８】
以下に、本考案に係るテレビ受像機１の実施形態について説明する。以下では、例えば、ＬＣＤ（Liquid Crystal Display；液晶ディスプレイ）、有機ＥＬ（electroluminescence）ディスプレイ、プラズマディスプレイ等により実現される表示パネル２１を備えたテレビ受像機１について説明するが、この例に限らず、例えば、これらのディスプレイをコンピュータ等に接続した表示装置等であっても構わない。また、表示パネル２１の表示領域の形状（画面サイズ、アスペクト比）および表示パネル２１より画面サイズが小さい他の表示パネルの表示領域の形状（画面サイズ、アスペクト比）の組合せは、以下に説明する例に限定されない。
【００１９】
〔実施形態１〕
以下、本考案の実施形態１について、図面に基づいて詳細に説明する。図１は、本考案の実施形態１に係るテレビ受像機１の外観の一例を示す図である。
【００２０】
図１に示すように、テレビ受像機１は、例えば、８５Ｖ型の大型のテレビ受像機１であって、対角線の長さが８５インチの表示領域Ｒｄを有する表示パネル２１と、ＵＳＢ（Universal Serial Bus）ポートに着脱可能に挿入されたＵＳＢメモリ２（記憶部）を備えている。
【００２１】
＜構成例＞
図２は、本考案の実施形態１に係るテレビ受像機１の要部構成の一例を示すブロック図である。
【００２２】
図２に示すように、テレビ受像機１は、テレビ受像機１の各部を統括して制御する制御部１０、各種情報を出力する出力部２０、データを記憶するＵＳＢメモリ２、ユーザの入力操作を受け付ける入力部３０、他の通信機器等と通信するための通信部４０を備える。
【００２３】
出力部２０は、画像を表示する表示パネル２１、音声を出力するスピーカ２２を備える。表示パネル２１は、上述したように、ＬＣＤ、有機ＥＬディスプレイ、プラズマディスプレイ等により実現される。表示パネル２１の表示領域Ｒｄは、例えば、アスペクト比が１６：９の略長方形状を有し、対角線の長さが約２１５．９ｃｍ（８５インチ）、横方向の長さが約１８８ｃｍ、縦方向の長さが約１０６ｃｍである。
【００２４】
ＵＳＢメモリ２は、デモ画像データ３（画像データ）を記憶する。デモ画像データ３は、表示パネル２１より小さい画面サイズの表示パネルの表示領域の輪郭線等を示すデモンストレーション用の画像データである。デモ画像データ３については、後ほど詳述する。
【００２５】
実施形態１では、デモ画像データ３を記憶する記録媒体としてＵＳＢメモリ２を採用する例について説明するが、これに限らず、例えば、ＳＤカード、ＤＶＤやブルーレイディスク等の光ディスクであってもよい。
【００２６】
また、上記の例に限らず、デモ画像データ３は、通信部４０を介してインターネットから取得したデータであってもよいし、予め、テレビ受像機１のＨＤＤ（Hard Disk Drive）等に保存されたデータであってもよい。さらに、デモ画像データ３は、テレビ受像機１の回路基板上に搭載されたＲＯＭ等に保存されたデータであってもよい。
【００２７】
制御部１０は、出力部２０を制御する出力制御部１１を備える。制御部１０は、ＵＳＢポートへのＵＳＢメモリ２の挿入を検知すると、ＵＳＢメモリ２からデモ画像データ３を取得する。出力制御部１１は、取得したデモ画像データ３に基づいて、表示パネル２１より画面サイズが小さい他の表示パネルの表示領域の輪郭線等を、表示パネル２１に表示する。
【００２８】
＜デモ画像データ＞
デモ画像データ３は、デモ画像データ３を表示するテレビ受像機１の画面サイズ毎に用意される。そして、デモ画像データ３は表示パネル２１の表示領域Ｒｄ全体に全画面表示される。デモ画像データ３は、適正なデータが適正なサイズの画面に全画面表示された状態において、実サイズで表示されるように、小さい画面サイズの表示領域を示す画像を含む。
【００２９】
具体的には、例えば、８５Ｖ型には８５Ｖ型用のデモ画像データ３がある。そして、８５Ｖ型のテレビ受像機１には、８５Ｖ型用のデモ画像データ３を収録したＵＳＢメモリ２を挿入する。挿入を検知した８５Ｖ型のテレビ受像機１は、８５Ｖ型用のデモ画像データ３をＵＳＢメモリ２から読み出し、８５Ｖ型の表示パネル２１に全画面表示する。
【００３０】
デモ画像データ３は、小さい画面サイズの表示領域の輪郭位置を示す画像を含む。輪郭位置を示す画像としては、例えば輪郭線（枠線）でよいが、輪郭の位置を示すマークであれば任意の形状のものが選択できる。
【００３１】
＜表示例＞
図３は、本考案の実施形態１に係るテレビ受像機１の表示の一例を示す図である。
【００３２】
上述したように、出力制御部１１は、デモ画像データ３に基づいて、表示パネル２１より画面サイズが小さい他の表示パネルの表示領域の輪郭線等を、表示パネル２１に表示する。ここで、例えば、表示パネル２１の画面サイズを８５Ｖ型、他のテレビ受像機の画面サイズを、５５Ｖ型、６５Ｖ型及び７５Ｖ型とする。
【００３３】
（５５Ｖ型）
図３のＡの状態で示すように、出力制御部１１は、デモ画像データ３に基づいて、５５Ｖ型の表示パネルに相当する表示領域Ｒａの輪郭線を、表示パネル２１に表示する。５５Ｖ型の表示領域Ｒａは、画面サイズが５５Ｖ型であるテレビ受像機に搭載された表示パネルの表示領域と同じ大きさ、形状を有する。すなわち、５５Ｖ型の表示領域Ｒａは、画面サイズが５５Ｖ型である表示パネルの表示領域と同様に、アスペクト比が１６：９の略長方形状を有し、対角線の長さが約１３９．７ｃｍ（５５インチ）、横方向の長さが約１２２ｃｍ、縦方向の長さが約６８ｃｍである。
【００３４】
ここで、８５Ｖ型の表示パネル２１の表示領域Ｒｄの左下の頂点を基準点（基準位置）Ｐ０とする。また、５５Ｖ型の表示領域Ｒａの左下の頂点を基準点Ｐ０ａとし、基準点Ｐ０ａと対角位置にある頂点を頂点Ｐａとする。
【００３５】
表示領域Ｒａの輪郭線は、基準点Ｐ０ａが表示パネル２１の基準点Ｐ０と一致するように、表示パネル２１に表示される。具体的には、頂点Ｐａから左方向に延びる輪郭線４ａおよび頂点Ｐａから下方向に延びる輪郭線５ａの２本の輪郭線から構成される枠線６ａが表示される。輪郭線４ａと輪郭線５ａとは、頂点Ｐａにおいて略直角となるように互いに接する。輪郭線４ａ、５ａ以外の表示領域Ｒａの他の輪郭線は、表示パネル２１の下側の外形線２１ａおよび左側の外形線２１ｂの一部を、当該他の輪郭線とみなすことができるため表示されない。
【００３６】
また、このとき、頂点Ｐａ付近に、表示領域Ｒａの画面サイズ「５５Ｖ型」を示すサイズ情報７ａが枠線６ａと共に表示される。これにより、現在表示されている表示領域Ｒａの画面サイズが５５Ｖ型であることを、ユーザに認識させることができる。
【００３７】
さらに、表示領域Ｒａの枠線６ａの内側領域には、任意の画像８ａ（実施形態１の例では猫の画像）が表示され、枠線６ａの外側領域には、例えば、黒色または任意の一色が表示される。これにより、枠線６ａのみの表示と比較して、実際のテレビ番組を視聴している状態に近いため、よりわかり易く比較することができる。なお、上記の枠線６ａ、サイズ情報７ａおよび画像８ａは、所定時間継続して表示パネル２１に表示される。
【００３８】
（６５Ｖ型）
次に、図３のＢの状態で示すように、出力制御部１１は、デモ画像データ３に基づいて、６５Ｖ型の表示パネルの表示領域Ｒｂの輪郭線を、表示パネル２１に表示する。６５Ｖ型の表示領域Ｒｂは、画面サイズが６５Ｖ型であるテレビ受像機に搭載された表示パネルの表示領域と同じ大きさ、形状を有する。すなわち、６５Ｖ型の表示領域Ｒｂは、画面サイズが６５Ｖ型である表示パネルの表示領域と同様に、アスペクト比が１６：９の略長方形状を有し、対角線の長さが約１６５．１ｃｍ（６５インチ）、横方向の長さが約１４４ｃｍ、縦方向の長さが約８１ｃｍである。また、表示領域Ｒｂの左下の頂点を基準点Ｐ０ｂとし、基準点Ｐ０ｂと対角位置にある頂点を頂点Ｐｂとする。
【００３９】
表示領域Ｒｂの輪郭線は、基準点Ｐ０ｂが表示パネル２１の基準点Ｐ０と一致するように表示される。具体的には、頂点Ｐｂから左方向に延びる輪郭線４ｂおよび頂点Ｐｂから下方向に延びる輪郭線５ｂの２本の輪郭線から構成される枠線６ｂが表示される。輪郭線４ｂと輪郭線５ｂとは、頂点Ｐｂにおいて略直角となるように互いに接する。頂点Ｐｂ付近には、画面サイズ「６５Ｖ型」を示すサイズ情報７ｂが枠線６ｂと共に表示される。
【００４０】
上記のように、６５Ｖ型の基準点Ｐ０ｂは表示パネル２１の基準点Ｐ０と一致しているが、５５Ｖ型の基準点Ｐ０ａも表示パネル２１の基準点Ｐ０と一致しているため、６５Ｖ型の基準点Ｐ０ｂは５５Ｖ型の基準点Ｐ０ａとも一致している。また、他の画面サイズの表示領域の基準点も全て、表示パネル２１の基準点Ｐ０と一致するように配置される。このように配置することで、各画面サイズの輪郭位置が画面上にばらばらに表示されず、整列して表示されるため、画面サイズの比較を容易にすることができる。
【００４１】
さらに、表示領域Ｒｂの枠線６ｂの内側領域には、画像８ｂが表示され、枠線６ｂの外側領域には、例えば、黒色または任意の一色が表示される。
【００４２】
画像８ｂが表示パネル２１に表示されると、画像８ｂと入れ替わりに画像８ａは表示されなくなるが、５５Ｖ型の枠線６ａおよびサイズ情報７ａは画面上に残り、画像８ｂの上に重ねて表示される。つまり、表示パネル２１には、６５Ｖ型の枠線６ｂ、サイズ情報７ｂおよび画像８ｂとともに、５５Ｖ型の枠線６ａおよびサイズ情報７ａが併せて表示される。なお、これらの画像は、所定時間継続して表示パネル２１に表示される。
【００４３】
（７５Ｖ型）
次に、図３のＣの状態で示すように、出力制御部１１は、デモ画像データ３に基づいて、７５Ｖ型の表示パネルの表示領域Ｒｃの輪郭線を、表示パネル２１に表示する。７５Ｖ型の表示領域Ｒｃは、画面サイズが７５Ｖ型であるテレビ受像機に搭載された表示パネルの表示領域と同じ大きさ、形状を有する。すなわち、７５Ｖ型の表示領域Ｒｃは、画面サイズが７５Ｖ型である表示パネルの表示領域と同様に、アスペクト比が１６：９の略長方形状を有し、対角線の長さが約１９０．５ｃｍ（７５インチ）、横方向の長さが約１６６ｃｍ、縦方向の長さが約９３ｃｍである。また、表示領域Ｒｃの左下の頂点を基準点Ｐ０ｃとし、基準点Ｐ０ｃと対角位置にある頂点を頂点Ｐｃとする。
【００４４】
表示領域Ｒｃの輪郭線は、基準点Ｐ０ｃが表示パネル２１の基準点Ｐ０と一致するように表示される。具体的には、頂点Ｐｃから左方向に延びる輪郭線４ｃおよび頂点Ｐｃから下方向に延びる輪郭線５ｃの２本の輪郭線から構成される枠線６ｃが表示される。輪郭線４ｃと輪郭線５ｃとは、頂点Ｐｃにおいて略直角となるように互いに接する。頂点Ｐｃ付近には、画面サイズ「７５Ｖ型」を示すサイズ情報７ｃが枠線６ｃと共に表示される。
【００４５】
さらに、表示領域Ｒｃの枠線６ｃの内側領域には、画像８ｃが表示され、枠線６ｃの外側領域には、例えば、黒色または任意の一色が表示される。
【００４６】
画像８ｃが表示パネル２１に表示されると、画像８ｃと入れ替わりに画像８ｂは表示されなくなるが、５５Ｖ型の枠線６ａおよびサイズ情報７ａ、６５Ｖ型の枠線６ｂおよびサイズ情報７ｂの表示は画面上に残り、画像８ｃの上に重ねて表示される。つまり、表示パネル２１には、７５Ｖ型の枠線６ｃ、サイズ情報７ｃおよび画像８ｃとともに、５５Ｖ型の枠線６ａおよびサイズ情報７ａ、６５Ｖ型の枠線６ｂおよびサイズ情報７ｂが併せて表示される。なお、これらの画像は、所定時間継続して表示パネル２１に表示される。
【００４７】
（８５Ｖ型）
次に、図３のＤの状態で示すように、出力制御部１１は、デモ画像データ３に基づいて、８５Ｖ型の表示パネル２１の表示領域Ｒｄに画像８ｄを表示する。また、表示パネル２１の基準点Ｐ０と対角位置にある頂点Ｐｄ付近に、画面サイズ「８５Ｖ型」を示すサイズ情報７ｄを表示する。
【００４８】
なお、表示パネル２１の画面サイズは８５Ｖ型であり、表示領域Ｒｄの輪郭線は、表示パネル２１の外形線と略一致するため、輪郭線を表示する必要はない。
【００４９】
画像８ｄが表示パネル２１に表示されると、画像８ｄと入れ替わりに画像８ｃは表示されなくなるが、５５Ｖ型の枠線６ａおよびサイズ情報７ａ、６５Ｖ型の枠線６ｂおよびサイズ情報７ｂ、７５Ｖ型の枠線６ｃおよびサイズ情報７ｃの表示はそのまま画面上に残り、画像８ｄの上に重ねて表示される。つまり、表示パネル２１には、８５Ｖ型のサイズ情報７ｄおよび画像８ｄとともに、５５Ｖ型の枠線６ａおよびサイズ情報７ａ、６５Ｖ型の枠線６ｂおよびサイズ情報７ｂ、７５Ｖ型の枠線６ｃおよびサイズ情報７ｃが併せて表示される。なお、これらの画像は、所定時間継続して表示パネル２１に表示される。
【００５０】
これにより、ユーザは、５５Ｖ型、６５Ｖ型、７５Ｖ型および８５Ｖ型の画面サイズを同一の画面で同時に見ることができるため、画面サイズを容易に比較することができる。
【００５１】
また、特に一番大きい８５Ｖ型の画面サイズの画像８ｄが最後に所定時間継続して表示されるため、一番大きい画面サイズを基準として、他の画面サイズを比較することができる。
【００５２】
〔実施形態２〕
本考案の他の実施形態について、以下に説明する。なお、説明の便宜上、上記実施形態１にて説明したものと同じ機能を有するものについては、同じ符号を付記し、その説明を繰り返さない。
【００５３】
＜表示例＞
前述した例では、画面サイズを切り替える際に、それまで表示していた任意の画像（実施形態１の例では猫の画像）に替えて、拡大した画像を表示する例について説明したが、最初に表示した画像を、画面サイズが切り替わっても、そのまま表示する構成にしてもよい。すなわち、小さい画面サイズ用の画像の後側に、大きい画面サイズ用の画像が表示されるように、画面サイズ順に重畳して表示する。最も小さな画面サイズ用の画像が一番前に表示され、表示パネル２１の画面サイズ８５Ｖ型で一番大きいため、８５Ｖ型用の画像８ｄが一番後ろに表示される。
【００５４】
図４は、本考案の実施形態２に係るテレビ受像機１の表示の一例を示す図である。
【００５５】
（５５Ｖ型）
図４のＡの状態で示すように、出力制御部１１は、デモ画像データ３に基づいて、各画面サイズの枠線６ａ、６ｂ、６ｃと、各画面サイズのサイズ情報７ａ、７ｂ、７ｃ、７ｄを表示する。なお、これらの枠線とサイズ情報は、画面サイズが切り替わっても、そのまま表示される。
【００５６】
また、出力制御部１１は、デモ画像データ３に基づいて、上記の枠線、サイズ情報と併せて、５５Ｖ型の枠線６ａの内部領域に任意の画像８ａ（実施形態２の例では猫の画像）を表示する。枠線６ａの外側領域には、例えば、黒色または任意の一色が表示される。これにより、枠線６ａのみの表示と比較して、実際のテレビ番組を視聴している状態に近いため、５５Ｖ型の画面サイズの大きさを、よりわかり易くユーザに伝えることができる。
【００５７】
これにより、ユーザは、５５Ｖ型の画像８ａと、６５Ｖ型、７５Ｖ型および８５Ｖ型の画面サイズを同一の画面で同時に見ることができるため、画面サイズを容易に比較することができる。
【００５８】
（６５Ｖ型）
所定時間経過後、図４のＢの状態で示すように、出力制御部１１はデモ画像データ３に基づいて、６５Ｖ型の画像８ｂを既に表示されている６５Ｖ型の枠線６ｂの内側領域に表示する。枠線６ｂの外側領域には、例えば、黒色または任意の一色が表示される。
【００５９】
画像８ｂは、既に表示されている５５Ｖ型の画像８ａの背後に重ねて表示される。画像８ｂは画像８ａより大きいため、画像８ｂは画像８ａの右側と上側にはみ出した部分のみが表示される。
【００６０】
これにより、ユーザは、６５Ｖ型の画像８ｂの大きさと、６５Ｖ型以外の画面サイズを同一の画面で同時に見ることができるため、画面サイズを容易に比較することができる。
【００６１】
（７５Ｖ型）
所定時間経過後、図４のＣの状態で示すように、出力制御部１１はデモ画像データ３に基づいて、７５Ｖ型の画像８ｃを既に表示されている７５Ｖ型の枠線６ｃの内側領域に表示する。枠線６ｃの外側領域には、例えば、黒色または任意の一色が表示される。
【００６２】
画像８ｃは、既に表示されている６５Ｖ型の画像８ｂの背後に重ねて表示される。画像８ｃは画像８ｂより大きいため、画像８ｃは画像８ｂの右側と上側にはみ出した部分のみが表示される。
【００６３】
これにより、ユーザは、７５Ｖ型の画像８ｃの大きさと、７５Ｖ型以外の画面サイズを同一の画面で同時に見ることができるため、画面サイズを容易に比較することができる。
【００６４】
（８５Ｖ型）
所定時間経過後、図４のＤの状態で示すように、出力制御部１１はデモ画像データ３に基づいて、８５Ｖ型の画像８ｄを表示パネル２１に表示する。
【００６５】
画像８ｄは、既に表示されている７５Ｖ型の画像８ｃの背後に重ねて表示される。画像８ｄは画像８ｃより大きいため、画像８ｄは画像８ｃの右側と上側にはみ出した部分のみが表示される。
【００６６】
これにより、ユーザは、８５Ｖ型の画像８ｄの大きさと、８５Ｖ型以外の画面サイズを同一の画面で同時に見ることができるため、画面サイズを容易に比較することができる。
【００６７】
また、特に一番小さい５５Ｖ型の画面サイズの画像８ａが、最初から最後まで表示されているため、一番小さい画面サイズを基準として、他の画面サイズを比較することができる。
【００６８】
上述した例では、表示パネル２１に表示される画面サイズの数を、一つから徐々に増加して複数の画面サイズを同時に表示する例について説明したが、これに限らず、例えば、各画面サイズを一度に全て表示してもよいし、各画面サイズを一つずつ、個別に表示してもよい。
【００６９】
＜アニメーション＞
上述した実施形態１および２の例では、画面サイズが５５Ｖ型、６５Ｖ型、７５Ｖ型および８５Ｖ型へと切り替わって表示される際に、徐々に変化するアニメーションの画像として表示される。
【００７０】
具体的には、例えば、実施形態１において、画像８ａから画像８ｂに切り替わるとき、画像８ａの表示が徐々に薄くなるにしたがい、画像８ｂが徐々に濃く表示されていく構成にしてもよい。なお、画像８ｂから画像８ｃ、画像８ｃから画像８ｄに切り替わるときも、上記と同様に徐々に変化して表示される。
【００７１】
また、例えば、実施形態２において、画像８ｂが表示される際に、画像８ｂの全体を瞬時に表示するのではなく、少しずつ画像８ｂを表示してもよい。具体的には、任意の位置、例えば画像８ｂの左端の部分から画像８ｂを表示し始め、徐々に右方向へ表示領域を広げていき、最後に画像８ｂの全体を表示する構成にしてもよい。なお、画像８ｃ、画像８ｄが表示されるときも、上記と同様に徐々に変化して表示される。
【００７２】
また、画像８ａないし８ｄは、上記の例に限らず、他の各種態様にて徐々に変化する画像として表示されてもよい。
【００７３】
さらに、例えば、実施形態１において、枠線６ａないし６ｄ、サイズ情報７ａないし７ｄを、画像８ａないし８ｄより遅れて表示させてもよい。
【００７４】
上記の例では、枠線、サイズ情報および画像が徐々に変化して表示される例について説明したが、これに限らず、画面サイズが切り替わるとき、これらの画像が瞬時に切り替わって表示されてもよい。
【００７５】
また、これらの画像と共に、スピーカ２２から音楽や音声による画面サイズの説明等を出力してもよい。
【００７６】
＜基準点＞
上述した実施形態１および２の例では、各画面サイズの表示領域が、表示パネル２１の左隅に位置合わせされていたが、位置合わせの位置は、左隅に限定されない。例えば、表示パネル２１の下辺中央であってもよいし、表示パネル２１の中央であってもよい。
【００７７】
〔付記事項〕
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【００７８】
１  テレビ受像機
２  ＵＳＢメモリ
３  デモ画像データ
６ａ、６ｂ、６ｃ  枠線
７ａ、７ｂ、７ｃ、７ｄ  サイズ情報
２１  表示パネル
Ｐ０、Ｐ０ａ、Ｐ０ｂ、Ｐ０ｃ  基準点
Ｒａ、Ｒｂ、Ｒｃ、Ｒｄ  表示領域
【図１】
0003227865.tif 000003
【図２】
0003227865.tif 000004
【図３】
0003227865.tif 000005
【図４】
0003227865.tif 000006